(57)【特許請求の範囲】
【請求項１】
ローラー本体の円周外表面に、ゴム等の軟質円筒カバー体を所定の中空間隙を介して外嵌した鎮圧ローラーにおいて、前記軟質円筒カバー体は、その内周面に、先端が前記ローラー本体の円周外表面に弾力的に当接し、且つ、周囲を前記中空間隙に囲まれた複数の半球状突起を配設してなり、前記軟質円筒カバー体がローラー本体に押圧されながら回転する際に、前記縦・横の中空間隙に囲まれた各々の半球状突起が、ローラー本体の押圧から解放された回転接地後方において各々独立して弾発的に復元することにより、前記軟質円筒カバー体外表面が、回転するローラー本体の後方下方へ張出し、回転進行中のローラー本体後方の地面を押圧するようにしたことを特徴とする農耕用鎮圧ローラー
【発明の詳細な説明】
【技術分野】
【０００１】
本発明は、トラクタ等に牽引される鎮圧機に取付けて回転しながら圃場を鎮圧する農耕用鎮圧ローラーに関し、詳細には、ローラーが圃場地面を回転進行しながら鎮圧接地から離れる際に圃場地面を押圧する構造の農耕用鎮圧ローラーに関する。
【背景技術】
【０００２】
農場などの膨軟な地面を固結する鎮圧機は、図１に示すようにトラクタ等に牽引される作業機２の枠体７に複数の鎮圧ローラー組立体３を回転進行可能に取付け、播種後の土の鎮圧や小麦発芽後の鎮圧などに使用される。
従来のこの種の鎮圧ローラー１は、図１１、図１２に示すように、鉄やコンクリートなどの硬い円筒又は円柱からなるローラー本体１ａの外側を、ゴムなどの柔軟な素材からなる円筒ゴムカバー体１ｂで円形の中空間隙部１０を介在させて被覆した構造のものが多用されている。この構造の鎮圧ローラーは接地の際にローラー本体１ａと円筒ゴムカバー体１ｂ間の中空間隙部１０が圧縮されて潰れ、回転進行に伴って接地から離れるときに中空間隙部１０が復元するときの変形作用を利用して接地面の土が円筒ゴムカバー体に付着しないようにする試みがなされている。
【発明の開示】
【発明が解決しようとする課題】
【０００３】
ところが、従来のような上記構造の鎮圧ローラー１は、内側の硬質のローラー本体１ａと外側の円筒ゴムカバー体１ｂの径寸法が異なるため回転進行するにつれて円筒ゴムカバー体１ｂの回転に遅れが生ずる。
他方、ローラー本体１ａと円筒ゴムカバー体１ｂは図１３に示すように、回転方向に対してはフリーではなく固定されているため、回転が遅れた外側の円筒ゴムカバー体１ｂは中心側（内側）のローラー本体１ａに固定された部分に引張られるようにして前進側がたるむ。こうなると円筒ゴムカバー体１ｂは接地から離れる際に中空間隙部１０をもった元の状態に戻ろうとする変形の余地がなくなるため、表面に土が付着して地面から剥ぎ取られ、土の付着防止効果が著しく低下してしまう。
【０００４】
鎮圧ローラーは上記のように、膨軟な地面を固結させる目的で使用されるものであるが、農耕用に使用される場合は圃場の地面が土木用と違って固結の固さがそれほど固くないことに加えて、播種後の鎮圧や小麦の発芽後の鎮圧（いわゆる麦踏み作用）などに使用されるため、ローラー表面への付着は、土の付着そのものよりも接地から離れる瞬間に接地面を蹴り上げ、土を剥ぎ取ってしまうという現象が問題となる。
すなわち、ローラーが接地から離れる瞬間に土を持ち上げて剥ぎ取ってしまうと播種した種が掘り返されたり、麦の根が土とともに破断してしまうという弊害が生ずる。
【０００５】
本発明はこのような問題を解決することを意図してなされたもので、その目的とするところは、ローラーが鎮圧接地から離れる際に外側の円筒ゴムカバー体の変形復元力を確保して圃場地面の剥ぎ取りや掘り返しを効果的に防止することができる農耕用鎮圧ローラーを提供することにある。
【課題を解決するための手段】
【０００６】
上記目的を達成するために、本発明の農耕用鎮圧ローラーは、ローラー本体の円周外表面に、ゴム等の軟質円筒カバー体を所定の中空間隙を介して外嵌した鎮圧ローラーにおいて、前記軟質円筒カバー体は、その内周面に、先端が前記ローラー本体の円周外表面に弾力的に当接し、且つ、周囲を前記中空間隙に囲まれた複数の半球状突起を配設してなり、前記軟質円筒カバー体がローラー本体に押圧されながら回転する際に、前記縦・横の中空間隙に囲まれた各々の半球状突起が、ローラー本体の押圧から解放された回転接地後方において各々独立して弾発的に復元することにより、前記軟質円筒カバー体外表面が、回転するローラー本体の後方下方へ張出し、回転進行中のローラー本体後方の地面を押圧するようにしたことを特徴とする。
【０００７】
軟質円筒カバー体の内周面突起部は、複数の局部的半球状突起に形成し、半球状突起の先端がローラー本体に弾発的に当接する構造にする。
【発明の効果】
【０００８】
上記の構造により、本発明の鎮圧ローラーは鎮圧接地面が回転進行により地面から離れる瞬間に円筒ゴムカバー体の突起部が圧縮から解放されて弾発力により中空間隙を保持した元の形状に戻るように変形する。このため、円筒ゴムカバー体は表面の接地面が地表を押さえながらローラー本体よりも遅れて離れるので、鎮圧接地から離れる際に土を持ち上げたり、掘り返したりすることがない。従って、播種後の鎮圧、小麦発芽後の鎮圧が安定し、また、ローラーに土が付着する弊害も防止される。
【発明を実施するための最良の形態】
【０００９】
以下、本発明の実施例を添付の図面に基づいて説明する。
図１は、本発明の鎮圧ローラー１を使用した鎮圧機２の一例を示す全体図であり、図２は、鎮圧機２に取付けられる鎮圧ローラー組立体３の拡大図である。
鎮圧ローラー組立体３は鎮圧機２への連結部材４を有する支持枠体５に鎮圧ローラー１を回転可能に枢着してなり、鎮圧機２は、図１に示すように、トラクタなどの牽引車（図は省略）へのヒッチ６を有する共通の枠体７にこれら複数の鎮圧ローラー組立体３を連結した構成になっている。
【００１０】
図３は、本発明の一実施例による鎮圧ローラー１を示すもので、この鎮圧ローラー１は、鉄あるいはコンクリートなどの硬い材質の円筒部材からなるローラー本体１ａ（図４参照）の円周外表面９に、ゴム、合成ゴムなどの比較的軟らかい材質の円筒カバー体１ｂ（図５参照）を嵌合した構成になっている。
【００１１】
軟質円筒カバー体（ここでは円筒ゴムカバー体）１ｂは図５及び図６に示すように、円筒内周面に複数の突起部８を一体に形成してあり、ローラー本体１ａの円周外表面９にこの円筒カバー体１ｂを外嵌したときに、図７及び図８に示すように、突起部８の先端がローラー本体１ａの円周外表面９に当接するとともに、突起部８以外の凹面とローラー本体１ａの円周外表面９の間に中空間隙１０が形成されるようにして重合されている。
【００１２】
図３乃至図８の実施例は、円筒カバー体１ｂの突起部８を半球その他の円形凸部に形成し、複数の円形凸部からなる複数の突起部８が円筒カバー体１ｂの内周面に、好ましくは、平均密度で一様に配設してある。
【００１３】
鎮圧ローラー１は、ローラー本体１ａの左右両側辺を内側に傾斜させた係合面１１に形成するとともに、円筒カバー体１ｂの左右両側縁辺を内側湾曲部１２に形成し、この湾曲部１２をローラー本体１ａの傾斜係合面１１に嵌め合わせて一体に係着させてある。
【００１４】
上記鎮圧ローラー１は、図９に示すように、鎮圧ローラー１の中空内部に組付けたフレーム１４に支軸１５と軸受１６を介して前記支持枠５に回転可能に支持され、図２に示す鎮圧ローラー組立体３として組付けられる。
【００１５】
次に、上記のように組付けられた本発明の鎮圧ローラー１の作用を図１０により説明する。
鎮圧ローラー１が矢印方向へ転動すると、内側のローラー本体１ａと外側の円筒カバー体１ｂの径の違いで円筒カバー体１ｂは回転速度の遅れでローラー本体１ａの回転に引張られはするが、周囲を中空間隙に囲まれて局部的に突出した複数の内周面突起部８よって円筒カバー体１ｂの円周方向の絞りが規制されるため、前進側にたるみが生じない。
他方、鎮圧接地の後方では、鎮圧ローラー１が鎮圧接地から離れる際に、局部的に突出した突起部８により円周方向の絞りが規制されて上方への引張り力が緩和されるため、円筒カバー体１ｂの突起部８が張力的な復元力により変形して円筒カバー体１ｂを元の中空状態に戻そうとする力が働く。このためローラー本体１ａが鎮圧接地から離れる際は円筒カバー体１ｂは圧縮されていた突起部８が完全に復元するまで地面を押圧し続け、回転が進むにつれて円筒カバー体１ｂは次第に地面から離れる。
このため、鎮圧ローラー１が接地面から離れる際の跳ね上げが円筒カバー体１ｂの突起部８の弾力復帰により緩衝されるので地面の持ち上げや撹拌が抑制されるとともに、結果としてローラーへの土の付着も予防されることになる。
【産業上の利用可能性】
【００１６】
鎮圧ローラーが回転進行により鎮圧接地面から離れ、円筒カバー体がローラー本体の圧接から解放される際に、円周方向に対して不連続に形成した局部的突起部の弾発復元力により、ローラー本体後方の地面を押圧し続けるので地面を安定した状態に鎮圧する。従って、当該地面の作物の種や芽を剥ぎ取ることがなく、農耕用鎮圧ローラーの作業効率改善に貢献する。
【図面の簡単な説明】
【００１７】
【図１】農耕用鎮圧機の全体図
【図２】鎮圧機に取付けられる鎮圧ローラー組立体
【図３】本発明の実施例による鎮圧ローラーの斜視図
【図４】図３実施例のローラー本体の斜視図
【図５】図３実施例の円筒カバー体の斜視図
【図６】図５の円筒カバー体の軸方向断面図
【図７】図３実施例の軸方向断面図
【図８】図３実施例の径方向断面図
【図９】図３実施例の鎮圧ローラーを使用した鎮圧ローラー組立体の軸方向断面図
【図１０】図３実施例による鎮圧ローラーの作用説明図
【図１１】従来の鎮圧ローラーの径方向断面図
【図１２】従来の鎮圧ローラーの軸方向断面図
【図１３】図１１の鎮圧ローラーの作用説明図
【符号の説明】
【００１８】
１…鎮圧ローラー
１ａ…ローラー本体
１ｂ…円筒カバー体
２…鎮圧機
３…鎮圧ローラー組立体
４…連結部材
５…支持枠体
６…ヒッチ
７…枠体
８…突起部
８ａ、８ｂ…突条
９…円周外表面
１０…中空間隙
１１…係合面
１２…湾曲部
１３…弾性円筒体
１４…フレーム
１５…支軸
１６…軸受
【図１】
0004344365.tif 000002
【図２】
0004344365.tif 000003
【図３】
0004344365.tif 000004
【図４】
0004344365.tif 000005
【図５】
0004344365.tif 000006
【図６】
0004344365.tif 000007
【図７】
0004344365.tif 000008
【図８】
0004344365.tif 000009
【図９】
0004344365.tif 000010
【図１０】
0004344365.tif 000011
【図１１】
0004344365.tif 000012
【図１２】
0004344365.tif 000013
【図１３】
0004344365.tif 000014